【事件の表示】
　特願２０１７−２０２０２号「遊技機」拒絶査定不服審判事件〔平成３０年　８月１６日出願公開、特開２０１８−１２６２４４号〕について、次のとおり審決する。
【結　論】
　本件審判の請求は、成り立たない。
【理　由】
１　手続の経緯
　本願は、平成２９年２月７日の出願であって、平成３０年９月１３日付けで拒絶の理由が通知され、同年１１月１５日に意見書及び手続補正書が提出されたところ、平成３１年４月１７日付けで拒絶査定がなされた。これに対し令和１年７月１６日に拒絶査定不服審判の請求がなされると同時に手続補正書が提出され、これに対して、令和２年２月２７日付けで当審において拒絶の理由（以下、「当審拒絶理由」という。）が通知され、同年４月１５日に意見書及び手続補正書が提出されたものである。
　
２　本願発明　
　本願の請求項１に係る発明（以下、「本願発明」という。）は、令和２年４月１５日に提出された手続補正書の特許請求の範囲の請求項１に記載された次のとおりのものである（Ａ〜Ｄは、本願発明を分説するため当審で付与した。）。
　
（本願発明）
「【請求項１】
Ａ　識別情報を変動表示する変動表示ゲームを表示可能な表示手段と、この表示手段を制御する制御手段とを備え、
Ｂ　前記制御手段は、
Ｂ１　前記表示手段の表示領域に、
Ｂ１１　未実施の前記変動表示ゲームの回数をアイコンの個数で示す保留表示と、
Ｂ１２　未実施の前記変動表示ゲームの回数を数値で示す保留数表示と、
Ｂ１３　前記変動表示ゲームの進行に応じて一方向に数値が変化する数値表示と、を表示可能であり、
Ｂ２　前記表示手段の表示領域における前記識別情報を表示している範囲を含む対象の領域の画像が２次元的または３次元的に所定の角度に回転しつつ縮小する縮小表示演出を実行可能であり、
Ｃ　前記縮小表示演出において、
Ｃ１　前記数値表示は、当該縮小表示演出の縮小割合に対応する大きさで表示されるとともに、当該縮小表示演出の表示角度に対応する角度で表示され、
Ｃ２　前記保留数表示は、当該縮小表示演出の縮小割合に影響されない大きさで表示されるとともに、当該縮小表示演出の表示角度に影響されない角度で表示されることを特徴とする
Ｄ　遊技機。」
　
３　拒絶の理由の概要
　当審拒絶理由の概要は、令和１年７月１６日に提出された手続補正書により補正がされた請求項１に係る発明は、本願の出願前に日本国内又は外国において、頒布された以下の引用文献１に記載の発明及び引用文献２記載の事項から、当業者が容易に発明をすることができたものである、または、引用文献１に記載の発明、引用文献２記載の事項及び引用文献３記載の事項から、当業者が容易に発明をすることができたものであるから、特許法第２９条第２項の規定により特許を受けることができない、というものである。
引用文献１：特許第５９５３５４３号公報
引用文献２：特開２０１６−７１号公報
引用文献３：特開２０１６−３４５６７号公報
　
４　引用文献に記載された事項
（１）　引用文献１
　当審拒絶理由に引用され、本願の出願前に頒布された上記引用文献１には、「遊技台」の発明に関し、図面と共に以下の事項が記載されている（下線は当審で付した。以下同様。）。
　
ア　「【０００９】
［第１の実施の形態］
　以下、図面を用いて、本発明の第１の実施の形態に係る遊技台（例えば、パチンコ機等の弾球遊技機やスロットマシン等の回胴遊技機）について説明する。まず、図１を用いて、本実施の形態による
パチンコ機１００
遊技盤２００
をその前面に備え
・・・
【００１５】
　
遊技盤２００は、前面に遊技領域１２４を有し
・・・
【００２１】
　図３は、遊技盤２００を正面から見た略示正面図である。遊技盤２００には、外レール２０２と内レール２０４とを配設し、遊技球が転動可能な遊技領域１２４を区画形成している。
遊技領域１２４の略中央には、演出装置２０６を配設し
演出装置２０６には、略中央に装飾図柄表示装置２０８を配設し
・・・
【００２４】
　
装飾図柄表示装置２０８は、装飾図柄ならびに演出に用いる様々な画像（動画像または静止画像）を表示するための表示装置であり
イ　「【００３９】
　次に、図４を用いて、このパチンコ機１００の制御部の回路構成について詳細に説明する。なお、同図は制御部の回路ブロック図を示したものである。パチンコ機１００の
制御部は、
遊技の中枢部分を制御する主制御部３００と、主制御部３００が送信するコマンド信号
に応じて
演出の制御を行う第１副制御部４００と、
各種機器を制御する第２副制御部５００と、
払出制御部６００と、
発射制御部６３０と、
電源制御部６６０と、によって構成し
・・・
【００４７】
　次に、パチンコ機１００の第１副制御部４００について説明する。
第１副制御部４００は、
第１副制御部４００の全体を制御する基本回路４０２を備え
基本回路４０２には、ＣＰＵ４０４
を搭載し
基本回路４０２には、制御プログラムや各種演出データを記憶するためのＲＯＭ４０６が設けられ
【００４８】
　また、基本回路４０２には、スピーカ１２０（およびアンプ）の制御を行うための音源ＩＣ（Ｓ−ＲＯＭ）４１６と、各種ランプ４１８（例えば、チャンスボタンランプ１３８）の制御を行うための駆動回路４２０と、遮蔽装置２４６の駆動制御を行うための駆動回路４３２と、遮蔽装置２４６の現在位置を検出する遮蔽装置センサ４３０と、チャンスボタン１３６の押下を検出するチャンスボタンセンサ４２６と、スピーカ１２０から出力される音量を調整する音量調整スイッチ１６１（図４では図示せず）と、設定操作部１３７の各ボタンの押下を検出する操作部センサ（図示せず）と、これらのセンサからの検出信号を基本回路４０２に出力するセンサ回路４２８と、
ＣＰＵ４０４からの信号に基づいてＲＯＭ４０６に記憶された画像データ等を読み出して
装飾図柄表示装置２０８に画像を表示するＶＤＰ
４３４
　
ウ　「【００６０】
　図５（ｃ）は装飾図柄の一例を示したものである。本実施形態の装飾図柄には、「装飾１」〜「装飾１０」の１０種類がある。「装飾１」〜「装飾９」および「装飾１０」は、それぞれ数字の「１」〜「９」および「０」を表している。特図１始動口２３０または特図２始動口２３２に球が入賞したこと、すなわち、特図１始動口２３０に球が入球したことを第１始動口センサが検出したこと、あるいは特図２始動口２３２に球が入球したことを第２始動口センサが検出したことを条件にして、
装飾図柄表示装置２０８の左図柄表示領域２０８ａ、中図柄表示領域２０８ｂ、右図柄表示領域２０８ｃの各図柄表示領域に
「装飾図柄の変動表示」を行う
エ　「【０１１５】
　これらの特図関連抽選処理についても、主制御部３００が特図２関連抽選処理を特図１関連抽選処理よりも先に行うことで、特図２変動遊技の開始条件と、特図１変動遊技の開始条件が同時に成立した場合でも、特図２変動遊技が先に変動中となるため、特図１変動遊技は変動を開始しない。また、特図２変動遊技の保留数が１以上の場合には、特図１変動遊技の保留に関する抽選処理や変動遊技は行われない。また、
装飾図柄表示装置２０８による、特図変動遊技の当否判定の結果の報知は、第１副制御部４００によって行われ、
　
オ　「【０２１３】
　次に、本実施の形態によるパチンコ機１００において実行される演出の具体例について説明する。
・・・
【０２１６】
　また、各図における
装飾図柄表示装置２０８の演出表示領域２０８ｄ
【０２１７】
　また、図１６（ａ）に例示するように、
演出表示領域２０８ｄの下部
領域は、特図１保留アイコンと当該特図１保留アイコンを載置するように視認させる特図１台座画像９００とを表示可能な特図１保留アイコン表示領域になっている
【０２１８】
　
特図１保留アイコン表示領域では、１つまたは複数の特図１保留アイコンを表示することが可能である
【０２１９】
　特図１台座画像（以下、「特図１台座」と略称する場合がある）９００は横長の長方形形状を有している。本例の
特図１台座９００は最大４つの特図１保留アイコンを載置するように表示可能であり
特図１台座９００の第１〜第４領域にそれぞれ数字１〜４が表示されており、表示された数字によって第１〜第４領域の位置が明示され
・・・
【０２２６】
　・・・
特図１保留アイコン表示領域の特図１台座９００
　
カ　「【０３０１】
（実施例５）
　図２１および図２２は、本実施の形態の実施例５における演出表示の例を示している。図２１（ａ）〜（ｌ）および図２２（ａ）〜（ｆ）は、この順に時系列に並んで各時点毎の演出表示状態を示している。
図２１（ａ）〜（ｌ）および図２２（ａ）〜（ｆ）の各図に示す構成は実施例１の図１６（ａ）に示す構成と同一であり、また同一の動作および作用効果を奏するので、それらには同一の符号を付して説明は省略する
・・・
【０３０３】
　本実施例では、いわゆるシェイクビジョンを利用した画像表示による演出表示について説明する。シェイクビジョンでは、
非シェイク状態の画像表示とシェイク状態の画像表示とを実行可能である
シェイク状態は、非シェイク状態における長方形
の表示領域を菱形
の表示領域に変形させ
て表示させた状態である
・・・
【０３０９】
　図２１（ｃ）は、
非シェイク状態からシェイク状態に変更された状態
画像表示領域を画定する枠表示は、シェイク状態での表示態様
として表示画面内で菱形状に表示され
表示画面内の菱形形状枠の外部は黒表示がされ
また、枠内部の複数の画像の表示は、シェイク状態での表示態様
として、枠表示の変形に応じて変形させて表示され
画像表示領域を画定する枠表示はシェイク表示により右方よりも左方の方が奥まっているような表示がされ
画像表示領域を画定する枠表示がシェイク表示に変形された影響を受けて
特図１保留アイコン９０３の表示が右方よりも左方の方が奥まっているように変形されて表示され
また、変動中の装飾図柄
および特図１台座９００も画像表示領域を画定する枠表示がシェイク表示に変形された影響を受けて右方よりも左方の方が奥まっているような表示がされ
画像表示領域の上方左端に特図１の保留アイコンの数の画像を内方に示す白色正方形の画像（以下、「保留アイコン数表示」と称する
）が表示され
・・・
【０３１１】
　図２１（ｅ）は、シェイク状態から非シェイク状態に変更された状態を示している。
画像表示領域を画定する枠表示は、非シェイク状態での表示態様
として表示画面一杯の長方形状に表示され
非シェイク状態では保留アイコン数表示はされないが、常時表示するようにしてもよい
【０３１２】
　図２１（ｆ）〜（ｋ）は、特図１変動遊技が実行中であり、
画像表示領域を画定する枠表示が
シェイク状態になって
　
キ　図４から、
第１副制御部４００はＶＤＰ４３４を備え
【図４】
ク　図２１（ｃ）から、
画像表示領域の上方左端の白色正方形の画像内の表示は、数字である
【図２１】
ケ　「画像表示領域を画定する枠表示がシェイク状態になる（【０３１２】）」図２１（ｅ）以降の、図２１（ｆ）〜（ｋ）から、
画像表示領域を画定する枠表示のすべての頂点が装飾図柄表示装置２０８の画像表示領域の内部に表示されて枠の外部に黒表示がされて枠表示は縮小状態となり、枠表示内の装飾図柄表示装置２０８の左図柄表示領域２０８ａ、中図柄表示領域２０８ｂ、右図柄表示領域２０８ｃの各図柄表示領域の「装飾図柄」、及び枠表示内の特図１台座９００に表示される数字１〜４もまた縮小状態となる
コ　図２１（ｃ）〜（ｄ）、（ｆ）〜（ｋ）から、
保留アイコン数表示は、画像表示領域を画定する枠表示がシェイク表示に変形され表示画面内で菱形状に表示されたときには略正方形の表示態様で菱形形状枠とは別に左上に表示され、表示画面内の菱形形状枠の外部に黒表示がされて菱形形状枠が変形しても、略正方形の同じ表示態様で菱形形状枠とは別に左上に表示される
　そして、上記記載事項ア〜カに記載された事項及び図面に記載された事項キ〜コを総合すると、引用文献１には、次の発明（以下、「引用発明」という。）が記載されていると認められる（ａ〜ｄは、本願発明のＡ〜Ｄに対応させて当審にて付与した。また、丸括弧内に示された段落番号は、引用文献１における引用箇所を示す。）。
　
（引用発明）
「ａ　遊技盤２００をその前面に備え（【０００９】）、
　遊技盤２００は、前面に遊技領域１２４を有し（【００１５】）、
　遊技領域１２４の略中央には、演出装置２０６を配設し、演出装置２０６には、略中央に装飾図柄表示装置２０８を配設し（【００２１】）、
　装飾図柄表示装置２０８は、装飾図柄ならびに演出に用いる様々な画像（動画像または静止画像）を表示するための表示装置であり（【００２４】）、
　装飾図柄表示装置２０８の左図柄表示領域２０８ａ、中図柄表示領域２０８ｂ、右図柄表示領域２０８ｃの各図柄表示領域に装飾図柄の変動表示を行い（【００６０】）、制御部は、遊技の中枢部分を制御する主制御部３００と、主制御部３００が送信するコマンド信号に応じて演出の制御を行う第１副制御部４００と、各種機器を制御する第２副制御部５００と、払出制御部６００と、発射制御部６３０と、電源制御部６６０と、によって構成し（【００３９】）、
　装飾図柄表示装置２０８による、特図変動遊技の当否判定の結果の報知は、第１副制御部４００によって行われ（【０１１５】）、
　第１副制御部４００は、第１副制御部４００の全体を制御する基本回路４０２を備え、基本回路４０２には、ＣＰＵ４０４を搭載し、基本回路４０２には、制御プログラムや各種演出データを記憶するためのＲＯＭ４０６が設けられ（【００４７】）、
　第１副制御部４００はＶＤＰ４３４を備え（図４）、ＶＤＰ４３４は、ＣＰＵ４０４からの信号に基づいてＲＯＭ４０６に記憶された画像データ等を読み出して装飾図柄表示装置２０８に画像を表示し（【００４８】）、
ｂ１１　装飾図柄表示装置２０８の演出表示領域２０８ｄの下部領域は、特図１保留アイコンと当該特図１保留アイコンを載置するように視認させる特図１台座画像９００とを表示可能な特図１保留アイコン表示領域になっており（【０２１６】、【０２１７】）、
　特図１保留アイコン表示領域では、１つまたは複数の特図１保留アイコンを表示することが可能であり（【０２１８】）、
　特図１保留アイコン表示領域の特図１台座９００は最大４つの特図１保留アイコンを載置するように表示可能であり、特図１台座９００の第１〜第４領域にそれぞれ数字１〜４が表示されており、表示された数字によって第１〜第４領域の位置が明示され（【０２１９】、【０２２６】）、
ｂ１２　画像表示領域の上方左端に特図１の保留アイコンの数の画像を内方に示す白色正方形の画像（以下、「保留アイコン数表示」と称する）が表示され（【０３０９】）、
　画像表示領域の上方左端の白色正方形の画像内の表示は、数字であり（図２１（ｃ））、
　非シェイク状態では保留アイコン数表示はされなくてもよく、保留アイコン数表示は常時表示するようにしてもよく（【０３１１】）、
　
ｂ２　非シェイク状態の画像表示とシェイク状態の画像表示とを実行可能であり、シェイク状態は、非シェイク状態における長方形の表示領域を菱形の表示領域に変形させて表示させた状態であり（【０３０３】）、
　非シェイク状態からシェイク状態に変更された状態では、画像表示領域を画定する枠表示は、シェイク状態での表示態様として表示画面内で菱形状に表示され、表示画面内の菱形形状枠の外部は黒表示がされ、また、枠内部の複数の画像の表示は、シェイク状態での表示態様として、枠表示の変形に応じて変形させて表示され、画像表示領域を画定する枠表示はシェイク表示により右方よりも左方の方が奥まっているような表示がされ（【０３０９】）、
　画像表示領域を画定する枠表示がシェイク表示に変形された影響を受けて特図１保留アイコン９０３の表示が右方よりも左方の方が奥まっているように変形されて表示され、また、変動中の装飾図柄および特図１台座９００も画像表示領域を画定する枠表示がシェイク表示に変形された影響を受けて右方よりも左方の方が奥まっているような表示がされ（【０３０９】）、
　画像表示領域を画定する枠表示は、非シェイク状態での表示態様として表示画面一杯の長方形状に表示され（【０３１１】）、
　画像表示領域を画定する枠表示がシェイク状態になると（【０３１２】）、　画像表示領域を画定する枠表示のすべての頂点が装飾図柄表示装置２０８の画像表示領域の内部に表示されて枠の外部に黒表示がされて枠表示は縮小状態となり、枠表示内の装飾図柄表示装置２０８の左図柄表示領域２０８ａ、中図柄表示領域２０８ｂ、右図柄表示領域２０８ｃの各図柄表示領域の「装飾図柄」、及び枠表示内の特図１台座９００に表示される数字１〜４もまた縮小状態となり（図２１（ｅ）〜（ｌ））、
ｃ２　保留アイコン数表示は、画像表示領域を画定する枠表示がシェイク表示に変形され表示画面内で菱形状に表示されたときには略正方形の表示態様で菱形形状枠とは別に左上に表示され、表示画面内の菱形形状枠の外部に黒表示がされて菱形形状枠が変形しても、略正方形の同じ表示態様で菱形形状枠とは別に左上に表示される（図２１（ｃ）〜（ｄ）、（ｆ）〜（ｋ））、
ｄ　パチンコ機１００（【０００９】）。」
（２）　引用文献２
　当審拒絶理由に引用され、本願の出願前に頒布された上記引用文献２には、図面と共に以下の事項が記載されている。
ア　「【００１０】
　以下、適宜図面を参照しつつ、本発明の遊技機の一実施形態に係るパチンコ遊技機１について説明する。
【００１１】
［パチンコ遊技機の基本構成］
　まず、図１又は図２を参照しつつ、
パチンコ遊技機１
・・・
【００２４】
［パチンコ遊技機の演出手段の構成］
　図１に示すように、遊技盤２又は枠部材３には、各種の演出を行うものとして、
液晶表示器５
が設けられ
【００２５】
　液晶表示器５は、演出画像を表示する画像表示装置であり、遊技者によって視認され易い位置に設けられている。
液晶表示器５には
特別図柄判定の判定結果を報知する装飾図柄
特別図柄判定が保留されている数だけ表示される保留画像等の各種表示オブジェクトを含む演出画像が表示され
　
イ　「【００４０】
　以下、図４を参照しつつ、パチンコ遊技機１の制御装置の構成について説明する。ここで、図４は、パチンコ遊技機の制御装置の構成例を示すブロック図である。図４に示すように、パチンコ遊技機１の制御装置は、
判定（抽選）の実行や大当たり遊技の制御、演出制御部１３０へのコマンド送信処理等を制御する遊技制御部１００、遊技制御部１００から受信したコマンドに基づいて演出を統括的に制御する演出制御部１３０、画像
による演出を制御する画像音響制御部１４０
を備え
・・・
【００５７】
　
演出制御部１３０は、
遊技制御部１００
から送られる特別図柄判定の結果等を示すデータに基づいて、演出内容を設定する
設定した演出内容の演出の実行を指示するコマンドを画像音響制御部１４０
に送信する
【００５８】
［画像音響制御部の構成］
　
画像音響制御部１４０は、ＣＰＵ１４１、ＲＯＭ１４２
を備え
ＣＰＵ１４１は、ＲＯＭ１４２に記憶されたプログラムに基づいて、演出内容を表現する画像を制御する際の演算処理を行う
画像音響制御部１４０は、液晶表示器５に表示される演出画像を生成するＶＤＰ
を備え
ＣＰＵ１４１は、演出制御部１３０からのコマンド及びＲＯＭ１４２に記憶されているプログラムに基づいて、制御信号を生成してＶＤＰ
に出力し、ＶＤＰ
の動作を制御する
　
ウ　「【００８７】
　これに対して、第１特別図柄判定の結果が大当たりと判定されているが、図柄揃い大当たりではない場合、つまり
潜伏確変大当たり又は２Ｒ通常大当たりと判定されている場合は、
液晶表示器５の中央
に特定図柄５７が停止表示され
【００８８】
　
特定図柄５７が停止表示された場合は、大当たり遊技後
の特別図柄の変動開始から、図８（ｂ）
通常モードの背景画像
とは異なる背景画像を用いた特定モードに移行する
特定モードでは、特定モードに移行してからの特別図柄の変動回数が所定回数
３０回
に達するまで、当該特定モードが行われる残りの期間（以下、特定期間ともいう）を報知する演出（以下、特定期間報知演出ともいう）が行われ
特定期間報知演出では、特定期間をカウントダウン形式（３０→２９…）で報知する
　
エ　特定モードである図８（ｂ）（【００８８】参照）から、
特定モードでは、液晶表示器５に装飾図柄及び保留画像とともに特定期間
を表示する
　
【図８】
　そして、上記記載事項ア〜ウに記載された事項及び図面に記載された事項エを総合すると、引用文献２には、次の事項（以下、「引用文献２記載の事項」という。）が記載されていると認められる（ａ〜ｅは、本願発明のＡ〜Ｅに対応させて当審にて付与した。また、丸括弧内に示された段落番号は、引用文献２における引用箇所を示す。）。
（引用文献２記載の事項）
「ａ　液晶表示器５が設けられ（【００２４】）、
　液晶表示器５は、特別図柄判定の判定結果を報知する装飾図柄を含む演出画像が表示され（【００２５】）、
　判定（抽選）の実行や大当たり遊技の制御、演出制御部１３０へのコマンド送信処理等を制御する遊技制御部１００、遊技制御部１００から受信したコマンドに基づいて演出を統括的に制御する演出制御部１３０、画像による演出を制御する画像音響制御部１４０を備え（【００４０】）、
　演出制御部１３０は、遊技制御部１００から送られる特別図柄判定の結果等を示すデータに基づいて、演出内容を設定し、設定した演出内容の演出の実行を指示するコマンドを画像音響制御部１４０に送信し（【００５７】）、
　画像音響制御部１４０は、ＣＰＵ１４１、ＲＯＭ１４２を備え、ＣＰＵ１４１は、ＲＯＭ１４２に記憶されたプログラムに基づいて、演出内容を表現する画像を制御する際の演算処理を行い（【００５８】）、
　画像音響制御部１４０は、液晶表示器５に表示される演出画像を生成するＶＤＰを備え、ＣＰＵ１４１は、演出制御部１３０からのコマンド及びＲＯＭ１４２に記憶されているプログラムに基づいて、制御信号を生成してＶＤＰに出力し、ＶＤＰの動作を制御し（【００５８】）、
ｂ１１　液晶表示器５は、特別図柄判定が保留されている数だけ表示される保留画像等の各種表示オブジェクトを含む演出画像が表示され（【００２５】）、
ｂ１３　潜伏確変大当たり又は２Ｒ通常大当たりと判定されている場合は、液晶表示器５の中央に特定図柄５７が停止表示され（【００８７】）、
　特定図柄５７が停止表示された場合は、大当たり遊技後の特別図柄の変動開始から、通常モードの背景画像とは異なる背景画像を用いた特定モードに移行し、特定モードでは、特定モードに移行してからの特別図柄の変動回数が所定回数（３０回）に達するまで、当該特定モードが行われる残りの期間（以下、特定期間ともいう）を報知する演出（以下、特定期間報知演出ともいう）が行われ、特定期間報知演出では、特定期間をカウントダウン形式（３０→２９・・・）で報知し（【００８８】）、
　特定モードでは、液晶表示器５に装飾図柄及び保留画像とともに特定期間を表示する（図８（ｂ））、
　
ｄ　パチンコ遊技機１（【００１１】）。」
（３）　引用文献３
　当審拒絶理由に引用され、本願の出願前に頒布された上記引用文献３には、図面と共に以下の事項が記載されている。
ア　「【００１１】
［パチンコ遊技機１の概略構成例］
　まず、図１及び図２を参照しつつ、
パチンコ遊技機１
イ　「【０１８８】
　一方、
特定モード中は
液晶表示器５には、
表示領域５４が設けられ
表示領域５４には
装飾図柄５１と背景画像６０とが表示され
【図２３】
ウ「【０１９４】
　図２５に示すように、
特定モードにおいて特別図柄の変動が開始されると、表示領域５４内の装飾図柄５１が変動開始し、
変動開始から所定時間が経過すると、表示領域５４が縮小されるとともに
（図２５（Ｂ））
図２５（Ａ）から図２５（Ｂ）の状態になるときに、表示領域５４は例えば時計回りに回転する
示唆画像５７ａが表示される
【図２５】
　
　そして、上記記載事項ア〜ウに記載された事項を総合すると、引用文献３には、次の事項（以下、「引用文献３記載の事項」という。）が記載されていると認められる（ｂ２及びｄは、本願発明のＢ２及びＤに対応させて当審にて付与した。また、丸括弧内に示された段落番号は、引用文献３における引用箇所を示す。）。
（引用文献３記載の事項）
「ｂ２　　特定モード中は、液晶表示器５には、表示領域５４が設けられ、表示領域５４には装飾図柄５１と背景画像６０とが表示され（【０１８８】、図２３（Ｂ））、
　　特定モードにおいて特別図柄の変動が開始されると、表示領域５４内の装飾図柄５１が変動開始し、変動開始から所定時間が経過すると、表示領域５４が縮小されるとともに当該状態になるときに、表示領域５４が時計回りに回転し、示唆画像５７ａが表示される（【０１９４】、図２５）、
ｄ　パチンコ遊技機１（【００１１】）。」
５　本願発明と引用発明の対比
　本願発明と引用発明とを分説にしたがって対比する。
　
（ａ）　引用発明の構成ａの「装飾図柄」、「左図柄表示領域２０８ａ、中図柄表示領域２０８ｂ、右図柄表示領域２０８ｃの各図柄表示領域に装飾図柄の変動表示を行」うこと、「装飾図柄表示装置２０８」は、それぞれ本願発明の構成Ａの「識別情報」、「識別情報を変動表示する変動表示ゲームを表示」すること、「表示手段」に相当する。
　また、引用発明の構成ａの「第１副制御部４００」は、「基本回路４０２を備え、基本回路４０２には、ＣＰＵ４０４を搭載し」「ＲＯＭ４０６が設けられ」「ＶＤＰ４３４を備え」、「ＶＤＰ４３４は、ＣＰＵ４０４からの信号に基づいてＲＯＭ４０６に記憶された画像データ等を読み出して装飾図柄表示装置２０８に画像を表示し」ているのだから、「第１副制御部４００」は「装飾図柄表示装置２０８」（表示手段）を制御するものであり、本願発明の構成Ａの「表示手段を制御する制御手段」に相当する。
　したがって、引用発明の構成ａの、「制御部」を「第１副制御部４００と」「によって構成」することは、本願発明の構成Ａの「表示手段を制御する制御手段とを備え」ることに相当する。
　してみると、引用発明の構成ａは、本願発明の構成Ａに相当する構成を備えるものである。
（ｂ）（ｂ１）（ｂ１１）　引用発明の構成ｂ１１の「１つまたは複数の特図１保留アイコン」の「表示」は、本願発明の構成Ｂ１１の「未実施の前記変動表示ゲームの回数をアイコンの個数で示す保留表示」に相当する。
　そして、引用発明の構成ｂ１１の「装飾図柄表示装置２０８の演出表示領域２０８ｄの下部領域」の「特図１保留アイコン表示領域」に「１つまたは複数の特図１保留アイコンを表示すること」は、本願発明の構成Ｂ１、Ｂ１１の「前記表示手段の表示領域に、」「未実施の前記変動表示ゲームの回数をアイコンの個数で示す保留表示と、」「を表示」することに相当する。
　そして、上記（ａ）にて説示のとおり、「装飾図柄表示装置２０８」（表示手段）を制御するのは「第１副制御部４００」（制御手段）であるから、引用発明１の構成ｂ１１の「装飾図柄表示装置２０８の演出表示領域２０８ｄの下部の領域」の「特図１保留アイコン表示領域」に「１つまたは複数の特図１保留アイコンを表示すること」（前記表示手段の表示領域に、未実施の前記変動表示ゲームの回数をアイコンの個数で示す保留表示と、を表示すること）もまた、「第１副制御部４００」（制御手段）によるものといえる。
　してみると、引用発明の構成ａ、ｂ１１は、本願発明の構成Ｂ、Ｂ１、Ｂ１１に相当する構成を備えるものである。
（ｂ）（ｂ１）（ｂ１２）　引用発明の構成ｂ１２の「特図１の保留アイコンの数の画像を内方に示す白色正方形の画像（「保留アイコン数表示」）が表示され」ることは、「白色正方形の画像内の表示は、数字であ」ることから、本願発明の構成Ｂ１、Ｂ１２の「前記表示手段の表示領域に、」「未実施の前記変動表示ゲームの回数を数値で示す保留数表示と、」「を表示」することに相当する。
　そして、上記（ａ）にて説示のとおり、「装飾図柄表示装置２０８」（表示手段）を制御するのは「第１副制御部４００」（制御手段）であるから、引用発明の構成ｂ１２の「画像表示領域の上方左端に特図１の保留アイコンの数の画像を内方に示す白色正方形の画像（「保留アイコン数表示」）が表示され」ること（前記表示手段の表示領域に、未実施の前記変動表示ゲームの回数を数値で示す保留数表示と、を表示すること）もまた、「第１副制御部４００」（制御手段）によるものといえる。
　してみると、引用発明の構成ａ、ｂ１２は、本願発明の構成Ｂ、Ｂ１、Ｂ１２に相当する構成を備えるものである。
（ｂ）（ｂ２）　引用発明の構成ｂ２の「非シェイク状態からシェイク状態に変更された状態で」「画像表示領域を画定する枠表示は、シェイク状態での表示態様として表示画面内で菱形状に表示され、」「枠内部の複数の画像の表示は、シェイク状態での表示態様として、枠表示の変形に応じて変形させて表示され、画像表示領域を画定する枠表示はシェイク表示により右方よりも左方の方が奥まっているような表示がされ、」「また、変動中の装飾図柄および特図１台座９００も画像表示領域を画定する枠表示がシェイク表示に変形された影響を受けて右方よりも左方の方が奥まっているような表示がされ」ることは、本願発明の構成Ｂ２の「前記表示手段の表示領域における前記識別情報を表示している範囲を含む対象の領域の画像が」「３次元的に所定の角度に回転」「する」「表示演出」に相当する。
　また、引用発明の構成ｂ２の「画像表示領域を画定する枠表示は、非シェイク状態での表示態様として表示画面一杯の長方形状に表示され、画像表示領域を画定する枠表示がシェイク状態になると、画像表示領域を画定する枠表示のすべての頂点が装飾図柄表示装置２０８の画像表示領域の内部に表示されて枠の外部は黒表示がされて枠表示は縮小状態とな」ることは、本願発明の構成Ｂ２の「前記表示手段の表示領域における」「対象の領域の画像が」「縮小する縮小表示演出」に相当する。
　そうすると、引用発明の構成ｂ２において「非シェイク状態からシェイク状態に変更され」ることは、本願発明の構成Ｂ２の「前記表示手段の表示領域における前記識別情報を表示している範囲を含む対象の領域の画像が」「３次元的に所定の角度に回転しつつ縮小する縮小表示演出を実行」することに相当する。
　そして、上記（ａ）にて説示のとおり、「装飾図柄表示装置２０８」（表示手段）を制御するのは「第１副制御部４００」（制御手段）であるから、引用発明の構成ｂ２において「非シェイク状態からシェイク状態に変更され」ること（前記表示手段の表示領域における前記識別情報を表示している範囲を含む対象の領域の画像が３次元的に所定の角度に回転しつつ縮小する縮小表示演出を実行すること）もまた、「第１副制御部４００」（制御手段）によるものといえる。
　してみると、引用発明の構成ａ、ｂ２は、本願発明の構成Ｂ、Ｂ２に相当する構成を備えるものである。
（ｃ）（ｃ２）　引用発明の構成ｃ２の「画像表示領域を画定する枠表示がシェイク表示に変形され表示画面内で菱形状に表示され」、「表示画面内の菱形形状枠の外部に黒表示がされ」た状態は、本願発明の構成Ｃの「縮小表示演出」に相当し、引用発明の構成ｃ２の「保留アイコン数表示は」「菱形形状枠が変形しても、略正方形の同じ表示態様で菱形形状枠とは別に左上に表示される」ことは、本願発明の構成Ｃ２の「保留数表示は」「縮小表示演出の表示角度に影響されない角度で表示される」ことに相当する。
　一方、引用発明の構成ｂ１２によれば、「保留アイコン数表示」（保留数表示）については、「非シェイク状態では保留アイコン数表示はされなくてもよく、保留アイコン数表示は常時表示するようにしてもよく」、当該構成は、「非シェイク状態では保留アイコン数表示はされない」構成と、「保留アイコン数表示は常時表示する」構成を、択一的に選択できる構成であるということができる。
　そして、引用発明の構成ｂ１２の当該択一的に選択可能な構成のうち、「非シェイク状態では保留アイコン数表示はされない」構成を選択した場合には、「シェイク状態」でのみ「保留アイコン数表示」がされるのだから、「シェイク状態」である「表示画面内の菱形形状枠の外部に黒表示がされて菱形形状枠が変形」した状態について、引用発明の構成ｃ２の「画像表示領域を画定する枠表示がシェイク表示に変形され表示画面内で菱形状に表示され」、「表示画面内の菱形形状枠の外部に黒表示がされて菱形形状枠が変形しても、略正方形の同じ表示態様で菱形形状枠とは別に左上に表示される」ことは、本願発明の構成Ｃ２の「前記保留数表示は、当該縮小表示演出の縮小割合に影響されない大きさで表示される」ことに相当する。
　してみると、引用発明の構成ｂ１２、ｃ２は、本願発明の構成Ｃ、Ｃ２に相当する構成を備えるものである。
（ｄ）　引用発明の構成ｄの「パチンコ機１００」は、本願発明の構成Ｄの「遊技機」に相当するから、引用発明の構成ｄは、本願発明の構成Ｄに相当するものである。
　
　そうすると、本願発明と引用発明の一致点及び相違点は、以下のとおりである。
　
（一致点）
「Ａ　識別情報を変動表示する変動表示ゲームを表示可能な表示手段と、この表示手段を制御する制御手段とを備え、
Ｂ　前記制御手段は、
Ｂ１　前記表示手段の表示領域に、
Ｂ１１　未実施の前記変動表示ゲームの回数をアイコンの個数で示す保留表示と、
Ｂ１２　未実施の前記変動表示ゲームの回数を数値で示す保留数表示と、
Ｂ２　前記表示手段の表示領域における前記識別情報を表示している範囲を含む対象の領域の画像が３次元的に所定の角度に回転しつつ縮小する縮小表示演出を実行可能であり、
Ｃ　前記縮小表示演出において、
Ｃ２　前記保留数表示は、当該縮小表示演出の縮小割合に影響されない大きさで表示されるとともに、当該縮小表示演出の表示角度に影響されない角度で表示される
Ｄ　遊技機。」
（相違点）（構成Ｂ１３、Ｃ、Ｃ１）
　本願発明は、
「Ｂ１３　前記変動表示ゲームの進行に応じて一方向に数値が変化する数値表示と、を表示可能であり、」
「Ｃ　前記縮小表示演出において、
Ｃ１　前記数値表示は、当該縮小表示演出の縮小割合に対応する大きさで表示されるとともに、当該縮小表示演出の表示角度に対応する角度で表示され」るのに対し、引用発明は、そのような構成を備えない点。
　
６　相違点の検討
（１）　相違点について（構成Ｂ１３、Ｃ、Ｃ１）
ア　引用文献２記載の事項は、上記「４　引用文献に記載された事項」「（２）　引用文献２」に示したとおりである。
イ　引用文献２記載の事項の構成ａの「特別図柄判定の判定結果を報知する装飾図柄を含む演出画像が表示され」る「液晶表示器５」は、本願発明の構成Ａの「識別情報を変動表示する変動表示ゲームを表示可能な表示手段」に相当する。
　また、引用文献２記載の事項の構成ａの「遊技制御部１００から送られる特別図柄判定の結果等を示すデータに基づいて、演出内容を設定し、設定した演出内容の演出の実行を指示するコマンドを画像音響制御部１４０に送信」する「演出制御部１３０」は、当該「画像音響制御部１４０」が、「液晶表示器５に表示される演出画像を生成するＶＤＰを備え」「演出制御部１３０からのコマンド及びＲＯＭ１４２に記憶されているプログラムに基づいて、制御信号を生成してＶＤＰに出力し、ＶＤＰの動作を制御」するものであることから、本願発明の構成Ａの「表示手段を制御する制御手段」に相当する。
　また、引用文献２記載の事項の構成ｂ１１の「液晶表示器５に」「特別図柄判定が保留されている数だけ表示される保留画像等の各種表示オブジェクトを含む演出画像が表示」されることは、本願発明の構成Ｂ１、Ｂ１１の「前記表示手段の表示領域に、未実施の前記変動表示ゲームの回数をアイコンの個数で示す保留表示と、」「を表示可能であ」ることに相当する。
　また、引用文献２記載の事項の構成ｂ１３の「特定期間報知演出」が、「特定モードに移行してからの特別図柄の変動回数が所定回数（３０回）に達するまで、当該特定モードが行われる残りの期間（特定期間）を報知する演出」であり「特定期間をカウントダウン形式（３０→２９・・・）で報知」し「液晶表示器５に」「特定期間を表示する」ことは、本願発明の構成Ｂ１３の「前記変動表示ゲームの進行に応じて一方向に数値が変化する数値表示と、を表示」することに相当する。
　また、引用文献２記載の事項の構成ｄの「パチンコ遊技機１」は本願発明の「遊技機」に相当する。
　
　そうすると、引用文献２記載の事項は、本願発明の構成Ａ、Ｂ、Ｂ１、Ｂ１１、Ｂ１３及びＤである、
「Ａ　識別情報を変動表示する変動表示ゲームを表示可能な表示手段と、この表示手段を制御する制御手段とを備え、
Ｂ　前記制御手段は、
Ｂ１　前記表示手段の表示領域に、
Ｂ１１　未実施の前記変動表示ゲームの回数をアイコンの個数で示す保留表示と、
Ｂ１３　前記変動表示ゲームの進行に応じて一方向に数値が変化する数値表示と、を表示可能である、
Ｄ　遊技機。」
に相当する構成を備えるものである。
　そして、引用発明と引用文献２記載の事項とはいずれも、保留表示を表示可能である遊技機である点において共通するとともに、興趣の向上という共通の課題（引用文献１については【０００５】を、引用文献２については【０００５】を参照。）を解決しようとするものである。
　してみれば、引用発明において、装飾図柄表示装置２０８（表示手段）における、「装飾図柄」（識別情報）及び「特図１保留アイコン」（保留表示）による表示態様を、引用文献２記載の事項のように「装飾図柄」（識別情報）及び「保留画像」（保留表示）に加えて「特定期間報知演出」（変動表示ゲームの進行に応じて一方向に数値が変化する数値表示）を表示する態様とすることは、当業者が容易に想到することである。
　そして、引用発明において、引用文献２記載の事項のように「特定期間報知演出」（変動表示ゲームの進行に応じて一方向に数値が変化する数値表示）を表示する態様としようとすれば、引用発明における「枠表示」の外側で、「菱形形状枠」の変形とは関係なく同じ表示態様で菱形形状枠とは別に表示するか、引用発明における「枠表示」の内側で、「枠表示がシェイク状態にな」り「枠の外部は黒表示がされて枠表示は縮小状態とな」ること（
縮小表示演出）に合わせて、
縮小割合に対応する大きさで表示するとともに、
　
（２）　本願発明の構成Ｂ２「２次元的または３次元的」について
上記「３　本願発明１と引用発明の対比」（ｂ）（ｂ２）にて説示のとおり、引用発明の構成ｂ２において「非シェイク状態からシェイク状態に変更され」ることは、本願発明の構成Ｂ２の「前記表示手段の表示領域における前記識別情報を表示している範囲を含む対象の領域の画像が」「３次元的に所定の角度に回転しつつ縮小する縮小表示演出を実行」することに相当するものである。
　一方、引用文献３記載の事項の「液晶表示器５には、表示領域５４が設けられ、表示領域５４には装飾図柄５１と背景画像６０とが表示され、」「変動開始から所定時間が経過すると、表示領域５４が縮小されるとともに、当該状態になるときに、表示領域５４が時計回りに回転」することは、本願発明の構成Ｂ２の「表示手段の表示領域における前記識別情報を表示している範囲を含む対象の領域の画像が２次元的に所定の角度に回転しつつ縮小する縮小表示演出」に相当し、引用発明の構成ｂ２において「非シェイク状態からシェイク状態に変更され」ること（「前記表示手段の表示領域における前記識別情報を表示している範囲を含む対象の領域の画像が」「３次元的に所定の角度に回転しつつ縮小する縮小表示演出を実行」すること）に変えて
２次元的に回転
（３）　本願発明の構成Ｃ２「前記保留数表示は、当該縮小表示演出の縮小割合に影響されない大きさで表示される」について
　引用発明の構成ｂ１２の、「保留アイコン数表示」（保留数表示）について、「非シェイク状態では保留アイコン数表示はされなくてもよく、保留アイコン数表示は常時表示するようにしてもよく」との構成は、「非シェイク状態では保留アイコン数表示はされない」構成と、「保留アイコン数表示は常時表示する」構成を、択一的に選択できる構成であることは上記「５　本願発明と引用発明の対比」「（ｃ）（ｃ２）」にて説示のとおりであるが、仮に当該択一的に選択できる構成のうち「保留アイコン数表示は常時表示するように」する構成を選択した場合には、「保留アイコン数表示は常時表示」することになるのだから、「シェイク状態」及び「非シェイク状態」でともに「保留アイコン数表示」をするものといえる。
　一方、引用発明の構成ｃ２では、「シェイク状態」である「画像表示領域を画定する枠表示がシェイク表示に変形され表示画面内で菱形状に表示され」たとき及び「表示画面内の菱形形状枠の外部に黒表示がされて菱形形状枠が変形し」たときに、「保留アイコン数表示」は「略正方形の同じ表示態様で菱形形状枠とは別に左上に表示される」（保留数表示は、当該縮小表示演出の縮小割合に影響されない大きさで表示される）ものの、
「非シェイク状態」において、「保留アイコン数表示」（保留数表示）がいかなる大きさで表示されるのか不明であるから
　そこで、相違点２について一応検討すると、引用発明は、「画像表示領域を画定する枠表示がシェイク表示に変形され表示画面内で菱形状に表示され」「菱形形状枠が変形」する「シェイク状態」において、「保留アイコン数表示」（保留数表示）については
「略正方形の表示態様」の「同じ表示態様」という、１種類の表示態様しか存在せず、
　そして、本願発明の作用効果は、引用発明及び引用文献２記載の事項、又は引用発明、引用文献２記載の事項及び引用文献３記載の事項から当業者が予測可能なものである。
　してみると、本願発明は、当業者が引用発明及び引用文献２記載の事項に基づいて容易に発明をすることができたものである。
　また、本願発明は、引用発明、引用文献２記載の事項及び引用文献３記載の事項に基づいて容易に発明をすることができたものである。
　
７　請求人の主張について
　審判請求人は、令和２年４月１５日提出の意見書の「（２）本願発明が特許されるべき理由」「（２−４）本願発明と引用文献との対比」にて、
　本願発明の遊技機は、
「前記縮小表示演出において、
　前記数値表示は、当該縮小表示演出の縮小割合に対応する大きさで表示されるとともに、当該縮小表示演出の表示角度に対応する角度で表示され、」という構成と、
「前記縮小表示演出において、
　前記保留数表示は、当該縮小表示演出の縮小割合に影響されない大きさで表示されるとともに、当該縮小表示演出の表示角度に影響されない角度で表示される」という構成を有し、特に、
「前記数値表示は、当該縮小表示演出の縮小割合に対応する大きさで表示されるとともに、当該縮小表示演出の表示角度に対応する角度で表示され、」
によれば、縮小表示演出において、変動表示ゲームに密接に関係する数値表示を、縮小表示演出の縮小割合に対応する大きさで表示するとともに縮小表示演出の表示角度に対応する角度で表示することにより、ダイナミックな表示演出にさらに一体感を加えることができる効果を主張するとともに、各引用文献には、少なくとも上記構成
「前記数値表示は、当該縮小表示演出の縮小割合に対応する大きさで表示されるとともに、当該縮小表示演出の表示角度に対応する角度で表示され、」
について明示又は示唆する記載が見当たらず、各引用文献に記載された発明を組み合わせることができたとしても、本願発明と同等の構成及び効果を実現することができない旨を主張している。
　しかし、上記主張については、上記「６　相違点の検討」（１）にて説示のとおりであって、この主張を採用して本願について特許をすべきものとする審決をすることはできない。
　
８　むすび　
　以上のとおりであるから、本願発明は、特許法第２９条第２項の規定により特許を受けることができない。
　したがって、本願は拒絶すべきものである。
　
　よって、結論のとおり審決する。